(57)【要約】      （修正有）【課題】撮影者が不快感を得ることなく、より効果的に異物を除去可能な撮像装置を提供する。【解決手段】被写体の光学像を光電変換によって電気信号に変換する撮像素子３３と、撮像素子の前面に配設された光学ローパスフィルタ４１０と、それに付着した異物の除去を行う複数の異物除去制御手段１１１（圧電素子駆動回路）と、複数の撮影を行わない状態を検出する複数の非撮影準備状態検出手段とを有する撮像装置（デジタルカメラ１００）において、非撮影準備状態検出手段によって検出された撮影を行わない状態の種類に応じて、複数の異物除去制御手段の中から一つを選択して実行する。【選択図】図２
2016208199.tif 000002
【特許請求の範囲】
【請求項１】
被写体の光学像を光電変換によって電気信号に変換する撮像素子（３３）と、
前記撮像素子の前面に配設された光学部材（４１０）と、
前記光学部材に付着した異物の除去を行う複数の異物除去制御手段（１１１）と、
複数の撮影を行わない状態を検出する複数の非撮影準備状態検出手段とを有する撮像装置において、
前記非撮影準備状態検出手段によって検出された撮影を行わない状態の種類に応じて、
前記複数の異物除去制御手段の中から一つを選択して実行することを特徴とする撮像装置。
【請求項２】
前記非撮影準備状態検出手段は、前記撮像装置の電源が入ったか否かを検出することを特徴とする請求項１に記載の撮像装置。
【請求項３】
前記撮像装置は、さらに被写体を観察する観察部（１８）を有し、
前記非撮影準備状態検出手段は、前記観察部（１８）に撮影者の顔が近接したか否かを検出することを特徴とする請求項１に記載の撮像装置。
【請求項４】
前記撮像装置は、さらに前記撮像素子（３３）で撮像されたデータを一時的に保存するバッファー（１２０）を有し、
前記非撮影準備状態検出手段は、バッファー（１２０）の容量が満たされたか否かを検出することを特徴とする請求項１に記載の撮像装置。
【請求項５】
前記撮像装置は、さらに複数の入力部を有し、
前記非撮影準備状態検出手段は、前記複数の入力部による入力の可否を検出することを特徴とする請求項１に記載の撮像装置。
【発明の詳細な説明】
【技術分野】
【０００１】
本発明は、デジタルカメラの撮像素子近傍に付着する異物に対して、より効果的に異物を除去する技術に関する。
【背景技術】
【０００２】
従来、レンズ等の光学系から集められた撮影光束を受光し、撮像を行うデジタルカメラ等の撮像装置では、撮像素子によって撮影光束を電気信号に変換することで撮像する。このような撮像装置では、撮像素子の被写体側に、光学ローパスフィルタや赤外線カットフィルタ等が配置されている。これらのフィルタや撮像素子のカバーガラス表面に塵埃等の異物が付着すると、付着部分が黒点となって撮影画像に写りこんでしまう。また、フィルムを使用しないデジタルカメラ等の撮像装置では、撮影毎にフィルムを送るといった動作を行わない異物が同じ位置に留まり続けてしまう。
【０００３】
そこで、特許文献１に記載のような、被写体側に配置されたフィルタやカバーガラス等を振動させ、その振動を異物に伝えることで落下させる技術が開示されている。
【０００４】
また、特許文献２には、落下させた異物が撮像装置内部に滞留しないよう、レンズ未装着時に撮像素子を露出させて振動する技術が記載、開示されている。
【先行技術文献】
【特許文献】
【０００５】
【特許文献１】特開２００３−３１９２２２号公報
【特許文献２】特開２００７−２８８５３０号公報
【発明の概要】
【発明が解決しようとする課題】
【０００６】
ところが、従来の技術では、異物が付着してから振動をさせる動作までに時間を要する事があり、異物の付着直後に振動動作が作動する事で除去可能な異物が時間を要する事で定着してしまい、除去することが難しくなってしまう。
【０００７】
また、異物の付着直後に振動を加えようとすると、撮影者が撮影を行いたいときに動作してしまう場合があり、シャッターチャンスを逃してしまう可能性がある。
【０００８】
そこで、本発明の目的は、撮影者が不快感を得ることなく、より効果的に異物を除去可能な撮像装置を提供することにある。
【課題を解決するための手段】
【０００９】
上記の目的を達成するために、本発明は、被写体の光学像を光電変換によって電気信号に変換する撮像素子（３３）と、
前記撮像素子の前面に配設された光学部材（４１０）と、
前記光学部材に付着した異物の除去を行う複数の異物除去制御手段（１１１）と、
複数の撮影を行わない状態を検出する複数の非撮影準備状態検出手段とを有する撮像装置において、
前記非撮影準備状態検出手段によって検出された撮影を行わない状態の種類に応じて、
前記複数の異物除去制御手段の中から一つを選択して実行することを特徴とする。
【発明の効果】
【００１０】
本発明によれば、撮影者が不快感を得ることなく、より効果的に異物を除去可能な撮像装置を提供することができる。
【図面の簡単な説明】
【００１１】
【図１】本発明の実施形態における、デジタルカメラの動作フローチャートである。
【図２】本発明の実施形態における、デジタルカメラの機能構成を例示したブロック図である。
【図３】本発明の実施形態における、撮像ユニットを例示した分解斜視図である。
【図４】本発明の実施形態における、ダストリダクション１〜５の動作内容図である。
【発明を実施するための形態】
【００１２】
以下に、本発明の好ましい実施の形態を、添付の図面に基づいて詳細に説明する。
【実施例１】
【００１３】
図２は本発明の実施形態にかかわるデジタルカメラ１００の機能構成を示すブロック図である。
【００１４】
マイクロコンピュータ（以下、ＭＰＵ）１０１は、例えば中央処理装置であり、デジタルカメラ１００が備える各ブロックの動作を制御する。
【００１５】
ＭＰＵ１０１には、ミラー駆動回路１０２、焦点駆動回路１０３、シャッタ駆動回路１０４、画像信号処理回路１０５、スイッチセンサ回路１０６、測光回路１０７、圧電素子駆動回路１１１、記録装置１２１が接続され、当該回路は、ＭＰＵ１０１の制御により動作する。
【００１６】
またＭＰＵ１０１は、撮像レンズユニット２００内のレンズ制御回路２０２とマウント接点２１を介して通信を行う。ＭＰＵ１０１は、撮像レンズユニット２００が接続されると、マウント接点２１を介して信号を受信することにより、撮像レンズユニット２００のレンズ制御回路２０２と通信可能状態になったことを判断する。
【００１７】
レンズ制御回路２０２は、ＭＰＵ１０１からの制御信号を受信することにより、ＡＦ駆動回路２０３及び絞り駆動回路２０４を介して撮像レンズユニット２００内の撮像レンズ２０１及び絞り２０５の駆動を行う。
【００１８】
なお、図２では便宜上１枚の撮像レンズ２０１のみを図示しているが、実際はフォーカスレンズ等の多数のレンズ群によって構成される。
【００１９】
ＡＦ駆動回路２０３は、例えばステッピングモータを備え、レンズ制御回路２０２の制御により撮像レンズ２０１内のフォーカスレンズ位置を変化させることにより、撮像素子３３に撮影光束を合焦させる。絞り駆動回路２０４は、例えばオートアイリス等の絞り機構であり、レンズ制御回路２０２の制御により絞り２０５の絞り量を変化させる。
【００２０】
メインミラー６は、図２に示す撮影光軸に対して４５度の角度に保持された状態で、撮像レンズ２０１を通過する撮影光束をペンタプリズム２２へ導くと共に、その一部を透過させてサブミラー３０へ導く。サブミラー３０は、メインミラー６を透過した撮影光束を焦点検出センサユニット３１へ導く。
【００２１】
ミラー駆動回路１０２は、例えばＤＣモータとギヤトレインにより構成され、メインミラー６をファインダーにより被写体像を観察可能とする位置と撮影光束から待避する位置とに駆動する。メインミラー６が駆動すると、同時にサブミラー３０も、焦点検出センサユニット３１へ撮影光束を導く位置と、撮影光束から待避する位置とに移動する。
【００２２】
焦点検出センサユニット３１は、不図示の結像面近傍に配置されたフィールドレンズ、反射ミラー、２次結像レンズ、絞り、複数のＣＣＤからなるラインセンサ等によって構成され、位相差方式の焦点検出を行う。焦点検出センサユニット３１から出力される信号は、焦点駆動回路１０３に供給され、被写体像信号に換算された後、ＭＰＵ１０１に送信される。
【００２３】
ＭＰＵ１０１は、被写体像信号に基づいて位相差検出法による焦点検出演算を行う。具体的にはＭＰＵ１０１は、被写体像信号を用いてデフォーカス量及び方向を算出し、算出されたデフォーカス量及び方向に従い、レンズ制御回路２０２及びＡＦ駆動回路２０３を介して撮像レンズ２０１内のフォーカスレンズを合焦位置に駆動させる。
ペンタプリズム２２は、メインミラー６により反射された撮影光束を正立正像に変換反射する。
【００２４】
これにより、撮影者はファインダー光学系を介してファインダー接眼窓１８から被写体像を観察することができる。またペンタプリズム２２は、撮影光束の一部を測光センサ３７にも導く。
【００２５】
測光回路１０７は、測光センサ３７から出力された測光値を観察面上の各エリアの輝度信号に変換し、ＭＰＵ１０１に出力する。ＭＰＵ１０１は、輝度信号に基づいて露出値を算出する。
【００２６】
シャッタユニット３２は、例えば機械フォーカルプレーンシャッタであり、撮影者がファインダー接眼窓１８を介して被写体像を観察する際は、シャッタ先幕が遮光位置にあるとともに、シャッタ後幕が露光位置にある状態となる。
【００２７】
また撮影時には、シャッタ先幕が遮光位置から露光位置へ移動する露光走行を行うことにより撮像光束を通過し、後述する撮像素子３３は結像された被写体像を光電変換して撮像を行う。
【００２８】
そして設定されたシャッタ秒時が経過した後、シャッタ後幕は露光位置から遮光位置へ移動する遮光走行を行い、これにより１つの画像データにかかる撮影が完了する。
【００２９】
なお、シャッタユニット３２は、ＭＰＵ１０１から制御命令を受けたシャッタ駆動回路１０４により制御される。
【００３０】
バッファー１２０は撮像素子３３で撮影された画像の生データを一時的に蓄積するところであり、このバッファー１２０のメモリーがいっぱいになるまで連続して撮影を行う事が出来る。
【００３１】
記録装置１２１は、画像処理回路１０５で画像処理された画像データを記録する記録手段である。
【００３２】
画像信号処理回路１０５は、撮像素子３３より出力されたアナログ画像信号に対して、Ａ／Ｄ変換処理を行い、さらに得られたデジタル画像データに対してノイズ除去処理やゲイン調整処理等の様々な画像処理を実行する。
【００３３】
スイッチセンサ回路１０６は、メインＳＷ４３、クリーニングＳＷ４４、接眼検知ＳＷ４５、レリーズＳＷ４６等のデジタルカメラ１００が備えるユーザインタフェースを撮影者が操作を行う、または、各種センサが検知することにより入力される入力信号をＭＰＵ１０１に送信する。
【００３４】
クリーニングＳＷ４４は、光学ローパスフィルタ４１０の表面に付着した塵埃等の異物の除去指示を行うためのユーザインタフェースであり、撮影者はクリーニングＳＷ４４を操作することにより手動でフィルタ上の異物の除去を実行させることができる。
【００３５】
接眼検知ＳＷ４５は、ユーザーがファインダー光学系を覗いている事を検知するスイッチである。赤外光を出力するＬＥＤで、ユーザーの顔で反射して戻ってくる赤外光を受光するセンサとから構成されている。
【００３６】
レリーズＳＷ４６は、ニ段スイッチの構成となっている。一段目はＳＷ１であり、測光、ＡＦなどの撮影準備動作を行うための起動スイッチとなっている。二段目はＳＷ２であり、撮影動作を行うための起動スイッチとなっている。
【００３７】
撮像ユニット４００は、光学ローパスフィルタ４１０、圧電素子４３０、撮像素子３３を含む部品がユニット化されたブロックである。撮像素子３３は、例えばＣＭＯＳセンサやＣＣＤ等の撮像デバイスであり、上述したように、結像された被写体の光学像を光電変換することによりアナログ画像信号を出力する。
【００３８】
圧電素子４３０は、例えばピエゾ素子等の単板の圧電素子であり、ダストリダクションはＭＰＵ１０１から制御信号を受信した圧電素子駆動回路１１１により圧電素子４３０を駆動し、振動を光学ローパスフィルタ４１０に伝える事で実行される。
【００３９】
ここで、光学ローパスフィルタ４１０を振動させてフィルタ上の異物の除去を行う、本実施形態にかかる撮像ユニット４００について、図３を参照してさらに詳細に説明する。
【００４０】
図３は撮像ユニット４００の構成を概略的に示した分解斜視図である。
【００４１】
撮像素子３３の前方に配置された光学ローパスフィルタ４１０は、水晶からなる１枚の複屈折板であり、矩形状を呈する。光学ローパスフィルタ４１０表面の撮像有効領域４１１には、赤外カットや反射防止等の光学的なコーティングが施されている。
【００４２】
本実施形態では異物が付着する部材として、当該光学ローパスフィルタ４１０を用いて説明するが、本発明の実施はこれに限らない。
【００４３】
即ち、本発明は撮像素子を備える撮像ユニットにおいて、光軸上に配置される、例えば赤外吸収フィルタ等の、振動させることにより付着した異物を除去可能な光学部品について適用可能である。
【００４４】
圧電素子４３０は、単板の短冊形状を呈し、光学ローパスフィルタ４１０の撮影有効領域外の一方の周縁部４１２において、圧電素子の長辺が光学ローパスフィルタ４１０の短辺（側辺）に平行になるように配置されて接着保持される（貼着される）。
【００４５】
即ち、圧電素子４３０は、デジタルカメラ１００が正位置にある場合の、光学ローパスフィルタ４１０の左右いずれかの辺付近に平行に貼着され、当該辺に平行な複数の節部を有するように光学ローパスフィルタ４１０を波状に定在波振動させる。
【００４６】
なお、本実施形態は１つの圧電素子のみを異物の除去に用いる例について説明するが、圧電素子は上述の光学ローパスフィルタ４１０の左右の両辺に貼着されてもよい。
【００４７】
光学ローパスフィルタ保持部材４２０は、光学ローパスフィルタ４１０を保持し、撮像素子保持部材５１０にビス固定される部材であり、樹脂または金属により形成されている。
【００４８】
付勢部材４４０は、光学ローパスフィルタ４１０を撮像素子３３の方向に付勢し、光学ローパスフィルタ保持部材４２０に係止される。
【００４９】
付勢部材４４０及び撮像有効領域４１１は、デジタルカメラ１００本体のグランドに接地され、光学ローパスフィルタ４１０表面の撮像有効領域４１１への塵埃等の静電気的な付着を抑制することができる。
【００５０】
弾性部材４５０は、断面が略円形を呈する枠状の弾性部材であり、光学ローパスフィルタ４１０と光学ローパスフィルタ保持部材４２０とに挟まれ、密着保持される。
【００５１】
弾性部材４５０の密着力は、付勢部材４４０の撮像素子３３方向への付勢力により決定される。なお、弾性部材４５０は例えばゴムであってもよいし、プラスチック等の高分子重合体を用いてもよい。
【００５２】
波長板４６０は、位相板（偏光解消板）、赤外カットフィルタ、及び光学ローパスフィルタ４１０に対し、屈折方向が９０度異なる複屈折板を貼り合わせた光学部材であり、光学ローパスフィルタ保持部材４２０に接着固定される。
【００５３】
フレキシブルプリント基板４７０は、例えばフレキシブルプリント基板であり、圧電素子４３０に導電性接着剤にて接着される。
【００５４】
圧電素子駆動回路１１１からフレキシブルプリント基板４７０を介して圧電素子４３０に周期的な電圧が印加されると、圧電素子４３０は周期的に伸縮運動を行い、光学ローパスフィルタ４１０を振動させる。
【００５５】
即ち、圧電素子４３０が伸縮運動することにより光学ローパスフィルタ４１０には周期的な屈曲変形が生じ、定常状態で屈曲定在波振動となる。
【００５６】
なお、圧電素子４３０に印加される電圧の周波数を光学ローパスフィルタ４１０の固有モードの共振周波数近傍とすることで、光学ローパスフィルタ４１０に発生させる振動の振幅を増大させることができる。
【００５７】
即ち、光学ローパスフィルタ４１０を共振させることにより、少ない印加電圧であっても異物を除去することが可能である。
【００５８】
なお、共振周波数は光学ローパスフィルタ４１０の形状、板厚、材質等により異なるものであり、例えばデジタルカメラ１００の工場出荷時には光学ローパスフィルタ４１０の共振周波数の情報がＥＥＰＲＯＭ１０８に記憶されるものとする。
【００５９】
撮像素子保持部材５１０は、矩形の開口部を有する板状の部材であり、当該開口部に撮像素子３３を露出させるように撮像素子３３が固着され、デジタルカメラ１００本体にビス固定される。
【００６０】
マスク５２０は、撮像素子３３に撮影光路外からの余計な光が入射することを防ぐためのマスクであり、光学ローパスフィルタ保持部材４２０と撮像素子３３とに挟まれて密着保持される。
【００６１】
撮像素子付勢部材５３０は、左右一対の板バネ状の付勢部材であり、撮像素子保持部材５１０にビス固定され、撮像素子３３を撮像素子保持部材５１０に押し付ける。
【００６２】
このように、撮像ユニット４００において光学ローパスフィルタ４１０は、付勢部材４４０と弾性部材４５０とに挟み込まれ、振動自在に支持される。
【００６３】
そして圧電素子４３０により振動させられることにより、光学ローパスフィルタ４１０の表面に付着した異物を振り落とすことができる。
【００６４】
次に本実施形態におけるデジタルカメラの動作について、図１を用いて説明する。
【００６５】
ステップＳ１０１において、動作を開始する。
【００６６】
ステップＳ１０２では、メインＳＷ４３が操作され、カメラの電源がオンされたかどうか判別を行う。メインＳＷ４３がオンになったと判断するとステップＳ１０３でダストリダクション１を開始する。
【００６７】
ステップＳ１０４では、カメラの各ＳＷの操作が行われたかどうか判別を行う。スイッチの操作を検出するとステップＳ１０６へ移行する。
【００６８】
ステップＳ１０５ではダストリダクション１の稼働時間が所定時間経過したか確認する。所定時間経過していなければ、ステップＳ１０４へ戻る。ステップＳ１０５でダストリダクション１が所定時間の稼働を確認するとステップＳ１０６へ移行する。
【００６９】
ステップＳ１０６では、ダストリダクション１の動作を終了させ、ステップＳ１０７へ移行する。
【００７０】
ステップＳ１０７ではレリーズＳＷ４６の一段目のＳＷ１がオンになったかどうか判別する。ＳＷ１がオンになった事を検出すると、ステップＳ１０８で測光、ＡＦを行う。
【００７１】
ステップＳ１０９では、レリーズＳＷ４６の一段目のＳＷ１がオンになっているかどうか判別する。ＳＷ１がオフになっていた場合、所定時間経過すると、ステップＳ１３０へ移行する。本実施例での所定時間は５秒である。ＳＷ１がオンしていた場合かつＳＷ１がオフした場合でもオフ時間が５秒未満で再度ＳＷ１がオンになれば、ステップＳ１１０に移行する。
【００７２】
ステップＳ１３０では、ダストリダクション２を実行する。ステップＳ１３１ではレリーズＳＷ４６の一段目のＳＷ１がオンされたかどうか判別する。ＳＷ１がオンされていたらステップＳ１３９へ移行しダストリダクション２を終了させステップＳ１０８へ移行する。
【００７３】
ステップＳ１３１でＳＷ１がオンになっていなかった場合、ステップＳ１３２でダストリダクション２が所定時間経過したか判別を行う。所定時間経過していなければステップＳ１３１に戻る。所定時間経過していればステップＳ１３３でダストリダクション２を終了し、ステップＳ１０７へ移行する。
【００７４】
ステップＳ１１０では、接眼検知ＳＷ４５にてファインダーを撮影者が覗いているかどうか判断する。ユーザーが５秒以上、ファインダーを覗いていないと検知するとステップＳ１２６へ移行する。ステップＳ１１０でユーザーがファインダーを覗いた状態であると検知またはユーザーがファインダーから目を離した時間が５秒未満の場合、ステップＳ１１１へ移行する。
【００７５】
ステップＳ１２６では、ダストリダクション２を実行する。ステップＳ１２７ではレリーズＳＷ４６の一段目のＳＷ１がオンされたかどうか判別する。ＳＷ１がオンされていたらステップＳ１４０へ移行しダストリダクション２を終了させステップＳ１１０へ移行する。ステップＳ１２７でレリーズＳＷ４６の一段目のＳＷ１がオフだったら、ステップＳ１２８へ移行する。
【００７６】
ステップＳ１２８では、ダストリダクション２が所定時間経過したか判別を行う。所定時間経過していなければステップＳ１２７に戻る。所定時間経過していればステップＳ１２９でダストリダクション２を終了し、ステップＳ１０７へ移行する。
【００７７】
ステップＳ１１１では、レリーズＳＷ４６の二段目のＳＷ２がオンされたかどうか判別する。ＳＷ２がオンしていなければ、ステップＳ１０９へ戻る。ＳＷ２がオンしていると判別すると、ステップＳ１１２へ移行する。
【００７８】
ステップＳ１１２では、撮影動作が行われる。マイクロコンピュータ１０１によりミラー駆動回路１０２を介しメインミラー６のアップ動作を行い、シャッター駆動回路１０４を介しシャッタユニット３２の制御が行われ撮像素子３３への露光が行われる。撮像素子３３で撮像された画像データは、いったん、バッファー１２０へ送られ一時的に保存される。バッファー１２０に保存された画像データは順次、画像処理回路１０５へ送られ所定の画像処理が行われる。画像処理が行われた画像データは記録装置１２１へ記録される。
【００７９】
ステップＳ１１３では、バッファー１２０に最新の撮像結果の撮像データを一時的に保存出来るかどうか、すなわちバッファーフルになっているかどうか判別を行う。バッファーフルになっていた場合、ステップＳ１３４、Ｓ１３６へ移行し並列処理を実施する。バッファーフルになっていない場合、ステップＳ１１４で画像データをバッファー１２０に蓄積する。
【００８０】
ステップＳ１１５では、バッファー１２０に蓄積されている画像データを古いものから順に画像処理回路１０５で画像処理を行い、画像処理の終わった画像データを記録装置１２１に記録する。そしてステップＳ１１６へ移行する。
【００８１】
ステップＳ１３４では、バッファー１２０に蓄積されている画像データを古いものから順に画像処理回路１０５で画像処理を行い、画像処理の終わった画像データを記録装置１２１に記録する。この動作を最新の画像データが画像処理され記録装置１２１に記録されるまで連続して行う。そしてステップＳ１３５へ移行する。ステップＳ１３５で全画像データの記録装置１２１への記録が完了したかどうか判別を行う。記録完了と判別されたらステップＳ１３８へ移行する。
【００８２】
ステップＳ１３６はステップＳ１３４と平行して行われる。ステップＳ１３６でダストリダクション３が実行される。ステップＳ１３７でダストリダクション３が所定の時間が行われたか判別を行う。
【００８３】
ステップＳ１３８でダストリダクション３を終了し、ステップＳ１１６へ移行する。
【００８４】
ステップＳ１１６ではレリーズＳＷ４６の二段目のＳＷ２がオンしているかどうか判別する。ＳＷ２がオンしているとステップＳ１１２へ移行し次の撮影を行う。ステップＳ１１６でレリーズＳＷ４６の二段目のＳＷ２がオフしていればステップＳ１１７へ移行する。
【００８５】
ステップＳ１１７ではレリーズＳＷ４６の一段目のＳＷ１がオフになっているか判別する。ＳＷ１がオンしていればステップＳ１０８へ移行する。ＳＷ１が所定時間オフしていればステップＳ１１８へ移行する。
【００８６】
ステップＳ１１８では、ダストリダクション４を開始する。
【００８７】
ステップＳ１１９ではレリーズＳＷ４６の一段目のＳＷ１がオフになっているか判別する。ＳＷ１がオンしていればステップＳ１４１へ移行する。ＳＷ１がオフしていればステップＳ１２０へ移行する。
【００８８】
ステップＳ１４１では、ダストリダクションを終了し、ステップＳ１０８へ移行する。
【００８９】
ステップＳ１２０では、ダストリダクション４が所定時間稼働したか判断する。所定時間稼働していればステップＳ１２１に移行しダストリダクション４を終了させる。
【００９０】
ステップＳ１２２では、メインＳＷ４３がオンかオフか判別する。メインＳＷ４３がオンであればステップＳ１０７へ移行する。メインＳＷ４３がオフであれば、ステップＳ１２３へ移行する。
【００９１】
ステップＳ１２３では、ダストリダクション５を開始する。
【００９２】
ステップＳ１２４では、ダストリダクション５が所定時間稼働したか判断する。所定時間稼働していればステップＳ１２５に移行しダストリダクション５を終了させる。
【００９３】
次に、本実施形態におけるダストリダクション１〜５についての動作内容を図４を用いて説明する。
ダストリダクション１は、通電時間１秒を２回実行する。
ダストリダクション２は、通電時間０．７５秒を２回実行する。
ダストリダクション３は、通電時間１秒を１回実行する。
ダストリダクション４は、通電時間０．５秒を１回実行する。
ダストリダクション５は、通電時間１秒を２回実行する。
また、ダストリダクション１〜５の作動回数は、少なくとも共振周波数を１つ以上含む、スウィープ動作を１回とする。
【００９４】
本実施形態によれば、光学ローパスフィルタや赤外線カットフィルタ等に異物が付着しても、ダストリダクション動作するまでの時間が減ることで除去することが難しくなることもなく、また、撮影者が撮影を行いたいときにダストリダクション動作をしてしまうこともない。よって撮影者が不快感を得ることなく、より効果的に異物を除去可能である。
【００９５】
以上、本発明の好ましい実施形態について説明したが、所定時間およびダストリダクション制御等、本発明はこれらの実施形態に限定されず、その要旨の範囲内で種々の変形及び変更が可能である。
【符号の説明】
【００９６】
３３  撮像素子、４３  メインＳＷ、４４  クリーニングＳＷ、４５  接眼検知ＳＷ、
４６  レリーズＳＷ、１２０  バッファー、１０６  スイッチセンサ回路、
１１１  圧電素子駆動回路、４１０  光学ローパスフィルタ、４３０  圧電素子
【図１】
2016208199.tif 000003
【図２】
2016208199.tif 000004
【図３】
2016208199.tif 000005
【図４】
2016208199.tif 000006